(57)【要約】  通信のためのデバイス（１００）は対象またはコード（１３１）をスキャンするためのスキャナー（１３０）を含むことができる。通信のためのこのデバイス（１００）はスキャンされた対象またはコード（１３１）に関連する選択された機能を実行するためのプロセッサ（１１２）も含むことができる。
2008527489.tif 000002
【特許請求の範囲】
【請求項１】
対象またはコードをスキャンするためのスキャナー（１３０）と、
前記スキャンされる対象またはコードに関連する選択された機能を実行するためのプロセッサ（１１２）とを備えた、通信のためのデバイス（１００）。
【請求項２】
前記スキャナー（１３０）が、赤外線スキャナーである、請求項１記載のデバイス。
【請求項３】
前記通信のためのデバイスが、バーコードリーダー（１３０）を備えた無線通信デバイス（１００）を備える、請求項１記載のデバイス。
【請求項４】
前記対象またはコード（１３１）が、ユニバーサル製品コード（ＵＰＣ）を含む、請求項１記載のデバイス。
【請求項５】
前記ＵＰＣ（１３１）に関連する選択可能な複数の機能（２０４）を含むメニュー（１３２）を更に備える、請求項４記載のデバイス。
【請求項６】
前記選択可能な複数の機能（２０４）が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品に関する警告を提供する事（２３４）と、
前記ＵＰＣに関連する製品情報を提供する事（２２６）と、
前記ＵＰＣに関連する製品比較情報を提供する事（２２８）のうちの少なくとも１つを含む、請求項５記載のデバイス。
【請求項７】
前記警告（２３４）が、値下げ（２３６）、在庫量の減少（２３８）、リコール（２４４）および注意（２４２）を含む消費者への警告（２４０）を含む、請求項６記載のデバイス。
【請求項８】
前記複数の機能のうちの１つの選択に応答し、信号を受信するための受信機（１２４）を更に含む、請求項７記載のデバイス。
【請求項９】
前記信号が、ショートメッセージサービスのメッセージ、ｅメールメッセージまたは音声もしくはデータメッセージを含む（２０６）、請求項８記載のデバイス。
【請求項１０】
前記通信デバイスが、セルラー電話（１００）を含む、請求項１記載のデバイス。
【請求項１１】
ＵＰＣを読み出すためのスキャナー（１３０）と、
前記ＵＰＣに関連した選択可能な複数の機能を含むメニュー（１３２）と、
前記ＵＰＣおよび選択された任意の機能に対応する信号をシステムに送信するための送信機（１２０）と、
前記ＵＰＣに関連する選択された任意の機能の実行に応答し、他の信号を受信するための受信機（１２４）とを備えた、通信のためのデバイス（１００）。
【請求項１２】
前記選択可能な複数の機能が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品に関する警告を提供する事（２３４）と、
前記ＵＰＣに関連する製品情報を提供する事（２２６）と、
前記ＵＰＣに関連する製品比較情報を提供する事（２２８）のうちの少なくとも１つを含む、請求項１１記載のデバイス。
【請求項１３】
前記警告（２３４）が、値下げ（２３６）、在庫量の減少（２３８）、リコール（２４４）および注意（２４２）を含む消費者への警告（２４０）を含む、請求項１２記載のデバイス。
【請求項１４】
前記ＵＰＣおよび選択された任意の機能に関する情報にアクセスするためのブラウザ（１３８）を更に含む、請求項１１記載のデバイス。
【請求項１５】
前記通信デバイスが、無線通信デバイス（１００）を含む、請求項１１記載のデバイス。
【請求項１６】
前記受信機（１２４）が、前記ＵＰＣおよび選択された任意の機能に関係する情報を含む、ショートメッセージサービス（ＳＭＳ）、ｅメール、音声またはデータ信号を受信するようになっている、請求項１１記載のデバイス。
【請求項１７】
対象またはコード並びに無線通信デバイスからの前記対象またはコードに関連する選択された機能に対応する信号を受信するための無線通信ネットワーク（１０２、１３６）と、
前記対象またはコードおよび前記選択された機能に対応する信号に応答し、動作を実行するよう、前記無線通信ネットワークに接続可能なサーバー（１３４）とを備えた、通信のためのシステム。
【請求項１８】
前記選択可能な複数の機能（２０４）が、
前記対象またはコードに対応する製品に関連する料理ガイドを提供する事（２２１）と、
前記対象またはコードに対応する製品に関連するレシピを提供する事（２２１）と、
前記対象またはコードに対応する製品をリストに追加する事（１４２、１４４、２０８）と、
前記対象またはコードに対応する前記製品の価格と他の対象またはコードに関連する製品の価格とを比較する事（２１６）と、
前記対象またはコードに関連する製品の価格と他の小売業者によって販売されている同一の製品の価格とを比較する事（２１６）と、
前記対象またはコードに関連する製品の場所を提供する事（２３０）と、
前記対象またはコードに対応する製品の最低価格の小売業者を識別する事（２２４）と、
前記対象またはコードに関連する製品に関する警告を提供する事（２３４）と、
前記対象またはコードに関連する製品情報を提供する事（２２６）と、
前記対象またはコードに関連する製品比較情報を提供する事（２２８）のうちの少なくとも１つを含む、請求項１７記載のシステム。
【請求項１９】
前記警告（２３４）が、値下げ（２３６）、在庫量の減少（２３８）、リコール（２４４）および注意（２４２）を含む消費者への警告（２４０）を含む、請求項１８記載のシステム。
【請求項２０】
前記対象またはコード、および前記選択された機能に応答し、情報を提供するよう、サーバーによってアクセス可能な複数のデータソース（１４０）を更に含む、請求項１７記載のシステム。
【請求項２１】
スキャンされた対象またはコードを受信するステップ（２０２）と、
前記スキャンされた対象またはコードに関連する選択可能な複数の機能または特徴を含むメニューを表示するステップ（１３２、２０４）と、
前記スキャンされた対象またはコード、および選択された任意の機能または特徴に対応する信号をシステムに送信するステップ（１０２、２０６）と、
前記スキャンされた対象またはコードに関連した選択された任意の機能または特徴の実行に応答し、他の信号を受信するステップ（２０８〜２３２）とを備える、通信のための方法。
【請求項２２】
前記対象またはコードが、ユニバーサル製品コード（ＵＰＣ）を含む（１３１）、請求項２１記載の方法。
【請求項２３】
前記複数の機能が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品に関する警告を提供する事（２３４）と、
前記ＵＰＣに関連する製品情報を提供する事（２２６）と、
前記ＵＰＣに関連する製品比較情報を提供する事（２２８）のうちの少なくとも１つを含む、請求項２１記載の方法。
【請求項２４】
スキャンされた対象またはコードを受信するステップ（２０２）と、
前記スキャンされた対象またはコードに関連する選択された機能または特徴を実行するステップ（２０６）とを備え、前記選択された機能または特徴を実行するステップが、
前記対象またはコードに対応する製品に関連する料理ガイドを提供するステップ（２２１）と、
前記対象またはコードに対応する製品に関連するレシピを提供するステップ（２２１）と、
前記対象またはコードに対応する製品をリストに追加するステップ（１４２、１４４、２０８）と、
前記対象またはコードに対応する前記製品の価格と他の対象またはコードに関連する製品の価格とを比較するステップ（２１６）と、
前記対象またはコードに関連する製品の価格と他の小売業者によって販売されている同一の製品の価格とを比較するステップ（２１６）と、
前記対象またはコードに関連する製品の場所を提供するステップ（２３０）と、
前記対象またはコードに対応する製品の最低価格の小売業者を識別するステップ（２２４）と、
前記対象またはコードに関連する製品に関する警告を提供するステップ（２３４）と、
前記対象またはコードに関連する製品情報を提供するステップ（２２６）と、
前記対象またはコードに関連する製品比較情報を提供するステップ（２２８）のうちの少なくとも１つを含む、通信のための方法。
【請求項２５】
前記スキャンされた対象またはコードが、ユニバーサル製品コード（ＵＰＣ）を受信するステップを含む（１３１）、請求項２４記載の方法。
【請求項２６】
選択可能な複数の機能または特徴を含むメニューを表示すること（１３２、２０４）を更に備える、請求項２４記載の方法。
【請求項２７】
前記スキャンされた対象またはコードおよび前記入力されたかまたは選択された任意の機能または特徴に対応する信号をシステムに送信するステップ（１０２）を更に含む、請求項２４記載の方法。
【請求項２８】
購入リクエストを送るステップ（２１４）を更に備える、請求項２４記載の方法。
【請求項２９】
前記対象またはコードを読み出すためのスキャナー（１３０）を設けるステップと、
前記対象またはコードに関連した選択可能な複数の機能を含むメニュー（１３２）を提供するステップと、
前記対象またはコードおよび選択された任意の機能に対応する信号をシステムに送信するための送信機（１２０）を設けるステップと、
前記対象またはコードに関連する選択された任意の機能の実行に応答し、他の信号を受信するための受信機（１２４）とを設けるステップとを備える、通信デバイスを製造するための方法。
【請求項３０】
前記選択可能な機能が、
前記対象またはコードに対応する製品に関連する料理ガイドを提供する事（２２１）と、
前記対象またはコードに対応する製品に関連するレシピを提供する事（２２１）と、
前記対象またはコードに対応する製品をリストに追加する事（１４２、１４４、２０８）と、
前記対象またはコードに対応する前記製品の価格と他の対象またはコードに関連する製品の価格とを比較する事（２１０）と、
前記対象またはコードに関連する製品の価格と他の小売業者によって販売されている同一の製品の価格とを比較する事（２１０）と、
前記対象またはコードに関連する製品の場所を提供する事（２３０）と、
前記対象またはコードに対応する製品の最低価格の小売業者を識別する事（２２４）と、
前記対象またはコードに関連する製品に関する警告を提供する事（２３４）と、
前記対象またはコードに関連する製品情報を提供する事（２２６）と、
前記対象またはコードに関連する製品比較情報を提供する事（２２８）のうちの少なくとも１つを含む、請求項２９記載の方法。
【請求項３１】
スキャンされた対象またはコードを受信するステップ（２０２）と、
前記スキャンされた対象またはコードに関連する選択された機能または特徴を実行するステップ（２０６）とを備え、前記選択された機能または特徴を実行するステップが、
前記対象またはコードに対応する製品に関連する料理ガイドを提供するステップ（２２１）と、
前記対象またはコードに対応する製品に関連するレシピを提供するステップ（２２１）と、
前記対象またはコードに対応する製品をリストに追加するステップ（１４２、１４４、２０８）と、
前記対象またはコードに対応する前記製品の価格と他の対象またはコードに関連する製品の価格とを比較するステップ（２１６）と、
前記対象またはコードに関連する製品の価格と他の小売業者によって販売されている同一の製品の価格とを比較するステップ（２１６）と、
前記対象またはコードに関連する製品の場所を提供するステップ（２３０）と、
前記対象またはコードに対応する製品の最低価格の小売業者を識別するステップ（２２４）と、
前記対象またはコードに関連する製品に関する警告を提供するステップ（２３４）と、
前記対象またはコードに関連する製品情報を提供するステップ（２２６）と、
前記対象またはコードに関連する製品比較情報を提供するステップ（２２８）のうちの少なくとも１つを含む、方法を実行するための、コンピュータで実行可能な命令を有する、コンピュータで読み取り可能な媒体。
【請求項３２】
前記スキャンされた対象またはコードが、ユニバーサル製品コード（ＵＰＣ）を受信するステップ（１３１）を含む、請求項３１記載の方法を実行するための、コンピュータで実行可能な命令を有する、コンピュータで読み取り可能な媒体。
【請求項３３】
前記スキャンされた対象またはコードおよび前記入力されたかまたは選択された任意の機能または特徴に対応する信号をシステムに送信するステップ（１０２）を更に含む、請求項３１記載の方法を実行するための、コンピュータで実行可能な命令を有する、コンピュータで読み取り可能な媒体。
【発明の詳細な説明】
【技術分野】
【０００１】
（背景技術）
本発明は、通信方法およびデバイスに関し、より詳細には、対象をスキャンし、バーコードなどを読み出し、これらに関連した所定の機能を実行するための方法およびデバイスに関する。
【背景技術】
【０００２】
ショッピング中、消費者が購入の判断をしようとしているか、または購入の判断に関連し、将来使用または分析するために製品情報をセーブしたり、製品に関する情報をオンデマンドですぐに必要とすることが多い。例えば消費者は、その製品を他のどの小売業者が販売しているか、またはどこで最低価格で購入できるかについて知りたいことがある。消費者は、同一または同様な機能を実行できる同様な製品のコストおよび特徴を比較したいことがある。更に消費者は、その製品に関してリコールまたは警告がされているかどうかを知りたいことがある。ある消費者は、製品を即座には必要とせず、値下がりを待つことができるし、また欲しいときに製品を入手できなくなるリスクがないように、在庫品がいつ所定のレベルに達するかを知りたいこともある。従って、消費者はその製品の価格が小売業者によっていつ下げられるか、または製品が欠品状態となるかどうかのお知らせを望むこともある。
【０００３】
スーパーマーケットまたは雑貨店では、消費者は食料品を購入したり、特定の料理またはレシピを作成したいことがある。これらの状況下では、消費者がスーパーマーケットにいる間、消費者はそのレシピまたは料理に他のどんな材料が必要となるかを知って、そのときそれら材料を同時に入手し、小売店へ何回も足を運ばななくてもよいようにしたい。消費者は、小売店にいる間に、特定のレシピまたは食品に関して料理に必要なものや栄養情報を得て、説明を受けた上での購入の判断をしたいこともある。
【発明の開示】
【発明が解決しようとする課題】
【０００４】
現在のところ、消費者が購入場所にいたり、または説明を受けた上での購入の判断をするための調査を行う他の場所にいる間に、かかる情報を実質的に瞬間的にオンデマンドで提供するためのモバイル、すなわちポータブル手段は存在しない。
一旦購入の判断をすると、消費者が小売店に到着したときに製品を入手できるよう、または消費者が指定したアドレスに製品が出荷されるように、購入のリクエストをしたいこともある。
【課題を解決するための手段】
【０００５】
（概要）
本発明の一実施例によれば、通信のためのデバイスは対象またはコードをスキャンするためのスキャナーを含むことができる。このデバイスはスキャンされる対象またはコードに関連した所定の機能を実行するためのプロセッサも含むことができる。
【０００６】
本発明の別の実施例によれば、通信のためのデバイスは、ユニバーサル製品コード（ＵＰＣ）またはバーコードを読み取るためのスキャナーを含むことができる。このデバイスはメニューを含むことができる。このメニューは、ＵＰＣに関係する選択可能な複数の機能を含むことができ、このデバイスは、ＵＰＣおよび選択された任意の機能に対応する信号をシステムに送信するための送信機も含むことができる。送信されたＵＰＣおよび選択された機能に応答し、信号を受信するための受信機を設けることもできる。
【０００７】
本発明の別の実施例によれば、通信のためのシステムは、対象またはコード、並びに無線通信デバイスからの対象またはコードに関連する選択された機能に対応する信号を受信するための無線通信ネットワークを含むことができる。対象またはコードおよび選択された機能に対応する信号に応答し、作動を実行するよう、無線通信ネットワークにサーバーを接続することができる。
【０００８】
本発明の別の実施例によれば、通信のための方法は、スキャンされた対象またはコードを受信するステップを含むことができる。この方法は更に、スキャンされた対象またはコードに関連する選択可能な複数の機能または特徴を含むメニューを表示することを更に含むことができる。スキャンされた対象またはコードおよび選択された任意の機能または特徴に対応する信号をシステムに送信することができる。スキャンされた対象またはコード、ならびに選択された任意の機能または特徴に対応する信号の送信に応答し、他の信号を受信することもできる。
【０００９】
本発明の別の実施例によれば、通信のための方法はスキャンされた対象またはコードを受信することができる。この方法は、スキャンされた対象またはコードに関連する選択された機能または特徴を実行するステップも含むことができる。選択された機能または特徴を実行することは、前記対象またはコードに対応する製品に関連する料理ガイドを提供するステップと、前記対象またはコードに対応する製品に関連するレシピを提供するステップと、前記対象またはコードに対応する製品をリストにを追加するステップと、前記対象またはコードに対応する前記製品の価格と他の対象またはコードに関連する製品の価格とを比較するステップと、前記対象またはコードに関連する製品の価格と他の小売業者によって販売されている同一の製品の価格とを比較するステップと、前記対象またはコードに関連する製品の場所を提供するステップと、前記対象またはコードに対応する製品の最低価格の小売業者を識別するステップと、前記対象またはコードに関連する製品に関する警告を提供するステップと、前記対象またはコードに関連する製品情報を提供するステップと、前記対象またはコードに関連する製品比較情報を提供するステップのうちの少なくとも１つを含むことができる。
【００１０】
本発明の別の実施例によれば、通信デバイスを製造するための方法は、対象またはコードを読み取るためのスキャナーを設けることを含むことができる。対象またはコードに関連する選択可能な複数の機能を含むメニューを設けることができる。スキャンされた対象またはコードおよび選択された任意の機能に対応する信号をシステムに送信するための送信機を設けることができる。対象またはコードに関連する選択された任意の機能の実行に応答し、他の信号を受信するための受信機を設けることができる。
【００１１】
本発明の別の実施例によれば、方法を実行するための、コンピュータで実行可能な命令を有するコンピュータで読み取り可能なメディアは、スキャンされた対象またはコードを受信することを含むことができる。この方法は、ユーザーによる機能または特徴の入力または選択に応答し、機能または特徴を実行することも含むことができる。前記選択された機能または特徴を実行するステップは、前記対象またはコードに対応する製品に関連する料理ガイドを提供するステップと、前記対象またはコードに対応する製品に関連するレシピを提供するステップと、前記対象またはコードに対応する製品をリストに追加するステップと、前記対象またはコードに対応する前記製品の価格と他の対象またはコードに関連する製品の価格とを比較するステップと、前記対象またはコードに関連する製品の価格と他の小売業者によって販売されている同一の製品の価格とを比較するステップと、前記対象またはコードに関連する製品の場所を提供するステップと、前記対象またはコードに対応する製品の最低価格の小売業者を識別するステップと、前記対象またはコードに関連する製品に関する警告を提供するステップと、前記対象またはコードに関連する製品情報を提供するステップと、前記対象またはコードに関連する製品比較情報を提供するステップのうちの少なくとも１つを含むことができる。
【実施例】
【００１２】
（詳細な説明）
好ましい実施例の次の詳細な説明は、本発明の特定の実施例を示す添付図面を参照する。異なる構造を有し、異なる動作をする他の実施例は、本発明の範囲から逸脱するものではない。
【００１３】
図１は、本発明の一実施例に係わる通信システム１０２に関連して作動する通信デバイス１００のブロック図である。この通信システム１０２は、モバイル、無線またはセルラー通信システムもしくは同様なシステムとすることができる。この通信システム１０２は、１つ以上の地上波通信チャンネルまたはリンクと、１つ以上の宇宙通信チャンネルまたはリンクを含むことができる。他の実施例では、この通信システム１０２は、例えば専用通信回線、電話ネットワーク、無線データ送信システム、双方向ケーブルシステム、カスタム化されたコンピュータネットワーク、インタラクティブなキオスクネットワークなどを含む任意の通信システムとすることができる。
【００１４】
通信デバイス１００は、コードレス電話、セルラー電話、パーソナルデジタルアシスタント（ＰＤＡ）、コミュニケータ、コンピュータデバイスなどとすることができるが、任意の特定の通信規格、例えば高度モバイル電話サービス（ＡＭＰＳ）、デジタル高度モバイル電話サービス（Ｄ−ＡＭＰＳ）、モバイル通信のためのグローバルシステム（ＧＳＭ）、符号分割マルチアクセス（ＣＤＭＡ）または同様な規格だけに限定されるものではない。本発明は任意の第３世代（３Ｇ）ネットワーク、例えばユニバーサルモバイル遠隔通信システム（ＵＴＭＳ）、ＦＤＤ（周波数分割デュプレクス）およびＴＤＤ（時間分割デュプレクス）、ｃｄｍａ２０００  ３ｘ、ＴＤ−ＳＣＤＭＡ、Ａｒｉｂ  ＷＣＤＭＡ、ＥＤＧＥ（ＧＳＭ展開のための強化されたデータレート）、ＩＭＴ−２０００  ＤＥＣＴ（２０００のための国際モバイル遠隔通信、デジタル欧州コードレス遠隔通信）、第４世代（４Ｇ）ネットワークおよびシステムなどでも使用できる。図１に示されるレイアウトは、本発明を説明するためのものであり、本発明は任意の特定の構造に限定されるものではない。
【００１５】
通信デバイス１００は、電話の通話およびその他の通信を開始すること、およびこれを行うことを含む、通信デバイス１００の制御動作を容易にするためのオペレータまたはユーザーインターフェース１０４を含むことができる。ユーザーインターフェース１０４は、通信デバイス１００のステータスおよび作動に関するビジュアル信号を加入者またはユーザーに提供するためのディスプレイ１０６を含むことができる。このディスプレイ１０６はカラー画像を提示できる液晶ディスプレイ（ＬＣＤ）または同等物等とすることができる。ディスプレイ１０６は画像、テキスト、数字、キャラクター、グラフィックユーザーインターフェース（ＧＵＩ）などのフォームの情報をユーザーまたはオペレータに提供できる。ユーザーインターフェース１０４は、ポインティングデバイス、例えばジョイスティックなどを含むキーパッド１０８および機能キーまたはボタン１１０も含むことができる。キーパッド１０８、機能ボタンおよびジョイスティック１１０により、ユーザーは電話番号をダイアルしたり、通話を開始し、終了したり、その他の通信の設定、例えばインターネットへのアクセスをしたり、メール、テキストメッセージなどを送受信するためのコマンドを、通信デバイス１００へ伝送することが可能となっている。キーパッド１０８、機能ボタンおよびジョイスティック１１０は、通信デバイス１００のその他の動作、特徴または機能を制御するのにも使用できる。
【００１６】
ディスプレイ１０６、キーパッド１０８および機能ボタン１１０はメインプロセッサおよび制御ロジックユニット１１２へ結合できる。メインプロセッサおよび制御ロジックユニット１１２は、マイクロプロセッサまたは同等物とすることができる。メインプロセッサおよびロジックユニット１１２は、制御信号をコード化したり復号化し、通信手順および本明細書に説明するようなその他の機能を実行するためのデータ構造部１１４、ソフトウェアプログラム、コンピュータアプリケーションなどを含むことができる。
【００１７】
ユーザーインターフェース１０４は、マイク１１６およびスピーカー１１８も含むことができる。マイク１１６は、ユーザーからの、または任意の音響ソースからのオーディオまたは音響信号を受信できる。マイク１１６は、このオーディオまたは音響信号を電気信号に変換できる。マイク１１６をメインプロセッサおよびロジックユニット１１２に接続することができ、メインプロセッサおよびロジックユニット１１２は、電気信号をベースバンド通信信号に変換できる。メインプロセッサおよび制御ロジックユニット１１２は、送信機１２０に接続でき、送信機１２０はメインプロセッサおよび制御ロジックユニット１１２からのベースバンド信号を無線周波数（ＲＦ）信号に変換できる。送信機１１８は、ＲＦ信号を通信システム１０２またはメディアに送信するためのアンテナアセンブリ１２２に接続できる。
【００１８】
アンテナアセンブリ１２２は、空中を通してＲＦ信号を受信し、このＲＦ信号を受信機１２４に転送できる。受信機１２４はＲＦ信号をベースバンド信号に変換できる。このベースバンド信号はメインプロセッサおよび制御ロジックユニット１１２に加えることができ、このメインプロセッサおよび制御ロジックユニットは、ベースバンド信号を電気信号に変換できる。プロセッサおよび制御ユニット１１２は、電気信号をスピーカー１１８に送ることができ、スピーカーは電気信号をユーザーが理解できるオーディオ信号に変換できる。データまたはその他の非オーディオ信号、例えばショートメッセージサービス（ＳＭＳ）、Ｅメールまたはその他のデータ信号に対し、プロセッサおよび制御ユニット１１２が変換したメッセージをディスプレイ１０６に表示できる。
【００１９】
通信デバイス１００を動作させるための電力を提供するために、メインプロセッサおよび制御ロジックユニット１１２に電源１２６を接続できる。この電源１２６は、充電可能なバッテリーなどとすることができる。この通信デバイス１００は少なくとも１つのデータ記憶デバイス１２８も含むことができる。このデータ記憶デバイス１２８は、電話番号リストを記憶できる。リストの例として、ユーザーの動作により入力され、記憶された電話番号、例えば記憶デバイス１２８の電話帳部分に記憶された電話番号、失われるか、または応答がなかった通話に対する電話番号、通信デバイス１００および同等デバイスによって通話が行われた電話番号を含むことができる。このデータ記憶デバイス１２８は、本発明の実施例に従って記述するような特殊な動作または機能を実行するための、コンピュータで実行可能な、またはコンピュータで使用できる命令またはデータ構造を記憶するための、コンピュータで読み取り可能な媒体とすることができる。
【００２０】
対象を捕捉したり、またはコード１３１を読み取るためのスキャナー１３０を通信デバイス１００に接続したり、またはこのスキャナーを通信デバイス１００の統合コンポーネントとすることもできる。このスキャナー１３０はユニバーサル製品コード（ＵＰＣ）などを読み取るための赤外線スキャナーまたはバーコードスキャナーとすることができる。従って、対象またはコード１３１をバーコードまたはＵＰＣとすることができる。
【００２１】
通信デバイス１００には選択的な複数の機能または特徴を含むことができるメニュー１３２を記憶できる。これら選択的な機能または特徴は通信デバイス１００および通信システム１０２、または本明細書でより詳細に説明するような他のコンポーネントにより、全体または一部を実現できる。このメニュー１３２は、プロセッサおよび制御ロジックユニット１１２内にデータ構造１１４の一部として記憶されてもよいし、または記憶デバイス１２８内に記憶されてもよい。これら選択可能な機能または特徴をＵＰＣに関連付けでき、選択のために利用できる特定のメニュー機能または特徴を、通信デバイス１００が受信するＵＰＣに依存させることができる。このメニューは、ユーザーが１つ以上の機能または特徴を選択できるよう、ディスプレイ１０６にディスプレイまたは表示することができる。ユーザーは機能ボタンまたはジョイスティック１１０、もしくは通信デバイス１００で利用できる他の制御を使ってディスプレイされる機能または特徴をスクロールできる。スクロールしたときに所望する機能または特徴をハイライト表示または他の態様で識別することができ、メニュー１３２から選択するように、適当にラベルの付いた機能ボタン１１０を操作することによって、所望する機能または特徴を選択できる。これとは異なり、ユーザーはキーパッド１０８を使って機能または特徴を入力したり、または所望する機能または特徴の一部を入力でき、通信デバイスはユーザーが選択するための所望する機能または特徴を効率的に探すのを容易にするよう、インテリジェントサーチ機能または同等なものを使用できる。一旦選択すると、スキャンされたＵＰＣおよび選択された機能または特徴に対応する信号が送信機１２０によりシステム１０２へ送信され、その機能または特徴を実行できる。機能または特徴によっては、その機能または特徴のすべてまたは一部をシステム１０２によって実行してもよいし、またはそのすべてまたは一部を通信デバイス１００によって実行してもよい。選択された機能または特徴を実行する際に、通信システム１０２を介して１つ以上のサーバー１３４にアクセスできる。このサーバー１３４は、ネットワーク１３６またはプライベートネットワーク、インターネットなどとすることができるメディアを介してアクセスできる。通信デバイス１００は、ネットワーク１３６およびサーバー１３４またはネットワーク１３６上のサーバーにアクセスするためのブラウザ１３８を含むことができる。通信デバイス１００はサーバー１３４を介し、データソース１４０にもアクセスし、メニュー１３２から選択した機能または特徴を実行するのに必要な情報を入手またはダウンロードすることもできる。ブラウザ１５２は、プロセッサおよび制御ロジックユニット１１２上で作動でき、このブラウザ１５２は、ネットスケープ（登録商標）、マイクロソフト（登録商標）インターネットイクスプローラーなどに類似するものでよい。
【００２２】
メニュー１３２から選択できる機能または特徴の例として、ＵＰＣまたは他のコードに関連する雑貨店のアイテムまたは製品に関連する料理ガイドまたはレシピを提供すること、ＵＰＣに関連する製品またはアイテムの価格と他の小売業者が販売する同一製品の価格とを比較すること、ＵＰＣに関連する製品またはアイテムに関連する最低価格の小売業者を識別すること、特定の店または地図上の場所のいずれかにおける、ＵＰＣに関連する製品またはアイテムを探すことを挙げることができる。メニュー１３２から選択できる機能または特徴の他の例として、ＵＰＣに対応する製品またはアイテムの価格と、同じ目的のために使用できるか、置換できる、異なるＵＰＣに関連する他の製品の価格とを比較すること、ＵＰＣに関連する製品に関係する詳細な情報、例えば仕様、製品の特徴、消費者の評価、支持率、ランキング、または説明を受けた上での購入の判断をするのに役立つ同様な情報へアクセスすることを挙げることができる。メニュー１３２は、当該製品と情報を含み得る競合製品の比較情報、例えば特徴の比較、価格の比較、消費者の評価、支持率、ランキング、信頼性およびメンテナンス上の問題などにアクセスするためのオプションを含むこともできる。メニュー１３２は更にＵＰＳに関連する製品に関係する任意の警告、例えばリコール、注意、または他の消費者による警告または製品に関係する情報へアクセスするためのオプションを含むこともできる。
【００２３】
一部の状況では、消費者は製品またはアイテムを欲しいと思っているが、すぐにはそれを必要とせず、セールまたは値下げを待つが、製品が売り切れてしまうことは望まない。従って、メニュー１３２に他の警告オプションを表示し、値下げまたは製品もしくはアイテムのセールに関する警告、在庫レベルが少なくなりつつあること、または消費者への同様な警告を提供できる。
【００２４】
メニュー１３２内の別のオプションにより、消費者が後でショッピングしたり、転送、価格および特徴の比較または他の目的のために、リスト１４２または１４４にＵＰＣに関連する製品またはアイテムを加えることができるようになる。メニュー１３２はリスト１４２または１４４に記憶されているアイテムまたは製品に対する更新、例えば価格の変化、在庫のレベル、利用できる小売業者、リコールまたは他の情報を提供するための他のオプションを含むことができる。リスト１４２は、通信デバイス１００の一部である記憶デバイス１２８に記憶させてもよいし、またはリスト１４４を通信システム１０２に関連づけできるか、またはネットワーク１３６もしくはサーバー１３４を介してアクセスできるメモリロケーション１４６に記憶させてもよい。
【００２５】
通信システム１０２は、上記機能または特徴の少なくとも一部を実行するためのデータ構造１５０またはコンピュータで実行可能な命令を含むことができるプロセッサ１４８または同等物を含むことができる。データ構造１５０は、上記機能または特徴を実行するために、通信デバイス１００内のデータ構造１１４と協力しながら動作することもできる。このデータ構造１５０は、上記特徴または機能の一部、更に通信デバイス１００内の計算上のオーバーヘッドおよびメモリの利用を保存するための他の機能または特徴の一部のすべての特徴を実行できる。システム１０２に記憶されているか、またはシステム１０２を介してアクセスできる一部のデータまたは情報を、通信デバイス１００へ戻し、所定の機能または動作を実行させたり、逆に通信デバイス１００からシステム１０２に一部のデータまたは情報を戻し、所定の機能または動作を実行することができる。
【００２６】
本発明の別の実施例では、サーバー１３４は上記特徴および機能の少なくとも一部またはすべてを実行するための、コンピュータで実行可能な命令も含むことができる。サーバー１３４は、メニュー１３２を記憶することもできるし、またはサーバー１３４がアクセスできるデータソース１４０上に含まれるメニュー１３２へアクセスすることもできる。次に、通信デバイス１００は実行すべき所望する機能または特徴を選択するために、ブラウザ１３８を使ってサーバー１３４およびメニュー１３２にアクセスできる。このように、通信デバイス１００は機能または特徴を実行する際に、計算上最小の記憶オーバーヘッドとすることができ、この負担は、主にシステムまたはサーバー１３４によって定められる。従って、消費者に関連する機能および特徴を無線搬送波などが提供するサービスとすることができ、これら機能および特徴は、加入できる別の利用可能な特徴またはサービスとしてマーケット化できる。
【００２７】
通信デバイス１００は音声認識システム（ＶＲＳ）１５２またはその機能を含むこともできる。この音声認識システム１５２は、ハードウェア、ソフトウェア、ファームウェア、それらの組み合わせなどで具現化でき、プロセッサおよび制御ロジックユニット１１２と関連して作動できる。この音声認識システム１５２は、マイク１１６に結合でき、ユーザーまたはオペレータが音声コマンドにより通信デバイス１００の動作を制御し、通信を設定したり、または他の動作または機能、例えばメニュー１３２内の特徴または機能を選択することを実行できるようにする。
【００２８】
図２Ａおよび２Ｂ（総称として図２）は、本発明の一実施例に係わる、通信のための方法２００の一例のフローチャートである。この方法２００は、通信デバイス、例えばデータ構造、例えばデータ構造１１４の形態をした図１のデバイス１００内で具現化し、図１を参照して説明したものと同様な所定の機能または特徴を実行できる。方法２００の機能または特徴の一部は、通信システムまたはサーバー、例えば通信システム１０２またはサーバー１３４のうちのデータ構造で一部または全体を具現化することができ、この通信システムまたはサーバーは、デバイス１００に類似する通信デバイスに関連して動作できる。
【００２９】
ブロック２０２では、スキャンされた対象またはコードを受信できる。図１に関連して説明したように、対象またはコードは赤外線スキャナー、バーコードリーダーまたは同等物により読み取りできるユニバーサル製品コード（ＵＰＣ）などとすることができる。ブロック２０４では対象、コードまたはＵＰＣに関連する所望する機能または特徴をユーザーがリクエストしたり、または入力することができる。これとは異なり、通信デバイスのディスプレイ、例えば図１のデ１０６に、図１のメニュー１３２に類似したメニューを表示またはディスプレイできる。このメニューは簡単な説明を含むことができるし、もしくは通信デバイス、通信システムまたはサーバー、もしくはこれら３つの組み合わせによって実行できる利用可能な機能または特徴を識別することができる。ブロック２０６では、スキャンされた対象、コードまたはＵＰＣに関連する機能または特徴を、ユーザーによるメニューからの１つ以上の機能または特徴の入力または選択に応答して実行できる。
【００３０】
ブロック２０８では、リストに対象、コードまたはＵＰＣに関連する製品またはアイテムを追加し、この製品またはアイテムに関連する選択されたパラメータを含むことができるリストを形成できる。選択されるパラメータの例として、価格、所望する特徴、利用可能性および入手できる先の小売業者または他の製品情報を挙げることができる。ブロック２１０では、選択されタパラメータと共にリストをセーブできる。このリストは、図１におけるリスト１４２および１４４に類似したものとすることができる。ブロック２１２では、リストおよび選択されたパラメータを定期的に更新できる。ユーザーは利用できる更新をチェックし、ダウンロードするための時間を選択できるし、利用できるときはいつも、リストに更新をダウンロードしてもよい。ユーザーは更新オプションのユーザーの選択に応答し、メニュー内、または他のスクリーン、もしくはグラフィカルインターフェース（ＧＵＩ）に表示できる、利用可能なオプションからの所望する更新オプションを選択できる。ブロック２１４では、リスト内のアイテムまたは製品のうちの１つ以上に対する購入リクエストを送ることができる。ユーザーに対し、アイテムまたは製品を購入することに関する別のオプションを選択するよう、他のスクリーンまたはＧＵＩをディスプレイに表示できる。例えば１つのオプションを、ユーザーによる受け取りおよび支払いのために、店舗にそのアイテムまたは製品を保持することにできる。これとは異なり、購入リクエストの創送信に応答し、ユーザーが選択した場合には、クレジットカード、デビットカード、電子マネーの転送、またはその他の支払い方法を自動的に送信できる。次に、ユーザーに対してそのアイテムまたは製品を出荷するか、または小売業者の場所で受け取るために、アイテムまたは製品を入手できるようにすることができる。
【００３１】
ブロック２１６では、ブロック２０８で作成されたリスト内の情報を使って、ユーザーまたはリクエストした者に対して表示できる価格の比較を作成できる。ブロック２１８では、例えばユーザーがショッピング中に将来の参考のためにキーとなるパラメータを記憶またはセーブできる。キーとなるパラメータの例として、価格、所望する特徴、入手可能性、または入手先の小売業者または他の製品情報を挙げることができる。ブロック２２０では、入手できるときに自動的に、または前に説明したのと同じように所定の時間で、任意のパラメータを更新できる。ユーザーはいつでもメニューに入るか、またはリストから製品またはアイテムを選択し、前に説明したのと同じようなブロック２１４における購入リクエストを送ることができる。
【００３２】
ブロック２２１において、ユーザーによって選択でき、ブロック２０２で受信された対象、コードまたはＵＰＣのスキャニングに応答して、ユーザーにディスプレイできる別の特徴または機能を雑貨店またはスーパーマーケットにおける特定の食品に対する料理または調製ガイド、もしくは食品またはアイテムに関連するレシピとすることができる。ユーザーは特定のタイプの料理または食品アイテムを入力し、選択された食品アイテムを作るのに必要な材料のすべてを提供するためのオプションを選択することもできる。
【００３３】
ブロック２２２では、別の特徴または機能を、ブロック２０２において受信されたスキャンされた対象、コードまたはＵＰＣに関連する製品またはアイテムの別の小売業者を表示またはディスプレイすることにできる。リストから一人の小売業者を選択し、前に説明したようにブロック２１４内における選択された小売業者へアイテムまたは製品に対する購入リクエストを送ることができる。ブロック２２４において、最低価格の小売業者を決定し、表示し、ユーザーが選択した場合にはブロック２１４において購入リクエストを送ることができる。ブロック２２８では、ブロック２０２でスキャンされたＵＰＣに関連する特定の製品情報を表示することができ、ブロック２２８では、ブロック２０４でこのオプションが選択されるかまたは入力された場合には、製品の比較を表示できる。ブロック２３０にて、ＵＰＣに対応する製品の場所をユーザーに提供し、ディスプレイできる。
【００３４】
ブロック２３２では、ユーザーが選択した他の機能または特徴を実行できる。他の機能または特徴の例は、ブロック２３４における警告とすることができる（図２Ｂ）。ブロック２３６では、値下げに関連した警告を送ることができ、ブロック２３８において、在庫量の減少の警告を送ることができる。他の例として、消費者への警告２４０、例えば注意２４２、リコール２４４および前に説明したのと同じような他の情報２４６を挙げることができる。ブロック２４８では、図２Ａ内のブロック２１４に関連して説明したのと同じように、購入リクエストを選択し、送ることができる。
【００３５】
本発明の構成要素は、ファームウェア、常駐ソフトウェア、マイクロコードなどを含むことができるコンピュータプログラムコードとしてのソフトウェアおよび／またはハードウェアで具現化できる。更に本発明の構成要素、例えばデータ構造１１４および１５０、ならびに方法２００は、図１のデバイス１００またはシステム１０２のようなデバイスまたはシステムにより、またはこれに関連して使用するためのメディア内に具現化された、コンピュータで使用可能な、またはコンピュータで読み取り可能なプログラムコードを有する、コンピュータで使用可能な、またはコンピュータで読み取り可能な記憶メディア上の、コンピュータプログラム製品の形態をとり得る。図１において、ネットワーク１３６、データソース１４０または類似デバイスとして、かかるメディアの例を示すことができる。コンピュータで使用可能な、または読み取り可能なメディアは、デバイスまたはシステムによって、またはこれに関連して使用するためのプログラムを含み、記憶し、伝送し、またはトランスポートできる任意のメディアとすることができる。このメディアは、例えば電子、磁気、光、電磁気、赤外線または半導体システム、または同等物とすることができ、このメディアは単にネットワーク、単にインターネットを通してコンピュータプログラム製品をダウンロードしたときに検索される単なる情報のストリームでもよい。このコンピュータで使用可能または読み取り可能なメディアは、プログラムをプリントできる紙または別の適当なメディアでもよい。
【００３６】
以上で、無線通信デバイスなどに関連して本発明について説明したが、本発明に関連して説明した特徴は有線システムまたはネットワークに接続できる通信デバイスにも適用可能である。特定の実施例を図示し、本明細書に説明したが、当業者であれば、同一目的を達成するようになっている任意の構造を、図示した特定の実施例に置換できること、および本発明は、他の環境における別の用途も有することが理解できよう。本願は、本発明の任意の変形例もカバーするようになっており、特許請求の範囲は、発明の範囲を明細書で説明した特定の実施例だけに限定するものではない。
【図面の簡単な説明】
【００３７】
【図１】本発明の一実施例に係わる通信のためのシステムおよびデバイスのためのブロック図である。
【図２Ａ】本発明の一実施例に係わる通信方法の一例のフローチャートである。
【図２Ｂ】本発明の一実施例に係わる通信方法の一例のフローチャートである。
【図１】
2008527489.tif 000003
【図２】
2008527489.tif 000004
【図２Ａ】
2008527489.tif 000005
【図２Ｂ】
2008527489.tif 000006
【図２Ｃ】
2008527489.tif 000007
【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
対象またはコードをスキャンするためのスキャナー（１３０）と、
前記スキャンされた対象またはコード（２０２）に関連する選択可能な複数の機能（２０４）を含むメニュー（１３２）とを備え、前記選択可能な複数の機能（２０４）は、前記対象またはコードに関係する警告（２３４）を提供することを含み、前記警告は、前記対象またはコードに対応する製品に関連する値下げ（２３６）、在庫量の減少（２３８）、リコール（２４４）および注意（２４２）を含む消費者への警告（２４０）を含み、
前記スキャンされる対象またはコードに関連する選択された機能を実行するためのプロセッサ（１１２）とを更に備えた、通信のためのデバイス（１００）。  
【請求項２】
前記スキャナー（１３０）が、赤外線スキャナーである、請求項１記載のデバイス。
【請求項３】
前記通信のためのデバイスが、バーコードリーダー（１３０）を備えた無線通信デバイス（１００）を備えた、請求項１記載のデバイス。
【請求項４】
前記対象またはコード（１３１）が、ユニバーサル製品コード（ＵＰＣ）を含む、請求項１記載のデバイス。
【請求項５】
キャンセル
【請求項６】
前記選択可能な複数の機能（２０４）が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品情報を提供する事（２２６）と、
前記ＵＰＣに関連する製品比較情報を提供する事（２２８）のうちの少なくとも１つを含む、請求項４記載のデバイス。
【請求項７】
キャンセル
【請求項８】
前記複数の機能のうちの１つの選択に応答し、信号を受信するための受信機（１２４）を更に含む、請求項６記載のデバイス。
【請求項９】
前記信号が、ショートメッセージサービスのメッセージ、ｅメールメッセージまたは音声もしくはデータメッセージを含む（２０６）、請求項８記載のデバイス。
【請求項１０】
前記通信デバイスが、セルラー電話（１００）を含む、請求項１記載のデバイス。
【請求項１１】
ＵＰＣを読み出すためのスキャナー（１３０）と、
前記ＵＰＣに関連した選択可能な複数の機能を含むメニュー（１３２）とを備え、前記選択可能な複数の機能（２０４）は、前記ＵＰＣに対応する製品に関する警告（２３４）を提供することを含み、前記警告は、前記ＵＰＣに対応する製品に関連する値下げ（２３６）、在庫量の減少（２３８）、リコール（２４４）および注意（２４２）を含む消費者への警告（２４０）を含み、
前記ＵＰＣおよび選択された任意の機能に対応する信号をシステムに送信するための送信機（１２０）と、
前記ＵＰＣに関連する選択された任意の機能の実行に応答し、他の信号を受信するための受信機（１２４）とを更に備えた、通信のためのデバイス（１００）。
【請求項１２】
前記選択可能な複数の機能が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品情報を提供する事（２２６）と、
前記ＵＰＣに関連する製品比較情報を提供する事（２２８）のうちの少なくとも１つを更に含む、請求項１１記載のデバイス。
【請求項１３】
キャンセル
【請求項１４】
前記ＵＰＣおよび選択された任意の機能に関する情報にアクセスするためのブラウザ（１３８）を更に含む、請求項１１記載のデバイス。
【請求項１５】
前記通信デバイスが、無線通信デバイス（１００）を含む、請求項１１記載のデバイス。
【請求項１６】
前記受信機（１２４）が、前記ＵＰＣおよび選択された任意の機能に関係する情報を含む、ショートメッセージサービス（ＳＭＳ）、ｅメール、音声またはデータ信号を受信するようになっている、請求項１１記載のデバイス。
【請求項１７】
対象またはコードに対応する信号を受信し、無線通信デバイスからの対象またはコードに関連する選択された機能を実行するための無線通信ネットワーク（１０２、１３６）を備え、前記選択された機能（２０４）は、前記対象またはコードに関係する警告（２３４）を提供することを含み、前記警告は、値下げ（２３６）、在庫量の減少（２３８）、リコール（２４４）および注意（２４２）を含む消費者への警告（２４０）を含み、
前記対象またはコードおよび前記選択された機能に対応する信号に応答し、動作を実行するよう、前記無線通信ネットワークに接続可能なサーバー（１３４）とを備えた、通信のためのシステム。
【請求項１８】
前記選択可能な複数の機能（２０４）が、
前記対象またはコードに対応する製品に関連する料理ガイドを提供する事（２２１）と、
前記対象またはコードに対応する製品に関連するレシピを提供する事（２２１）と、
前記対象またはコードに対応する製品をリストに追加する事（１４２、１４４、２０８）と、
前記対象またはコードに対応する前記製品の価格と他の対象またはコードに関連する製品の価格とを比較する事（２１６）と、
前記対象またはコードに関連する製品の価格と他の小売業者によって販売されている同一の製品の価格とを比較する事（２１６）と、
前記対象またはコードに関連する製品の場所を提供する事（２３０）と、
前記対象またはコードに対応する製品の最低価格の小売業者を識別する事（２２４）と、
前記対象またはコードに関連する製品情報を提供する事（２２６）と、
前記対象またはコードに関連する製品比較情報を提供する事（２２８）のうちの少なくとも１つを含む、請求項１７記載のシステム。
【請求項１９】
キャンセル
【請求項２０】
前記対象またはコード、および前記選択された機能に応答し、情報を提供するよう、サーバーによってアクセス可能な複数のデータソース（１４０）を更に含む、請求項１７記載のシステム。
【請求項２１】
スキャンされた対象またはコードを受信するステップ（２０２）と、
前記スキャンされた対象またはコードに関連する選択可能な複数の機能または特徴を含むメニューを表示するステップ（１３２、２０４）とを備え、前記選択可能な複数の機能（２０４）は、前記対象またはコードに関係する警告（２３４）を提供することを含み、前記警告は、値下げ（２３６）、在庫量の減少（２３８）、リコール（２４４）および注意（２４２）を含む消費者への警告（２４０）を含み、
前記スキャンされた対象またはコード、および選択された任意の機能または特徴に対応する信号をシステムに送信する事（１０２、２０６）と、
前記スキャンされた対象またはコードに関連した選択された任意の機能または特徴の実行に応答し、他の信号を受信する事（２０８〜２３２）とを備える、通信のための方法。
【請求項２２】
前記対象またはコードが、ユニバーサル製品コード（ＵＰＣ）を含む（１３１）、請求項２１記載の方法。
【請求項２３】
前記複数の機能が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品情報を提供する事（２２６）と、
前記ＵＰＣに関連する製品比較情報を提供する事（２２８）のうちの少なくとも１つを含む、請求項２１記載の方法。
【請求項２４】
スキャンされた対象またはコードを受信するステップ（２０２）と、
前記スキャンされた対象またはコードに関連する選択された機能または特徴を実行するステップ（２０６）とを備え、前記選択された機能または特徴を実行するステップが、
前記対象またはコードに対応する製品に関連する料理ガイドを提供するステップ（２２１）と、
前記対象またはコードに対応する製品に関連するレシピを提供するステップ（２２１）と、
前記対象またはコードに対応する製品をリストに追加するステップ（１４２、１４４、２０８）と、
前記対象またはコードに対応する前記製品の価格と他の対象またはコードに関連する製品の価格とを比較するステップ（２１６）と、
前記対象またはコードに関連する製品の価格と他の小売業者によって販売されている同一の製品の価格とを比較するステップ（２１６）と、
前記対象またはコードに関連する製品の場所を提供するステップ（２３０）と、
前記対象またはコードに対応する製品の最低価格の小売業者を識別するステップ（２２４）と、
対象またはコードに関連する製品に関する警告を提供するステップ（２３４）を含み、前記警告は、値下げ（２３６）、在庫量の減少（２３８）、リコール（２４４）および注意（２４２）を含む消費者への警告（２４０）を含み、
前記対象またはコードに関連する製品情報を提供するステップ（２２６）と、
前記対象またはコードに関連する製品比較情報を提供するステップ（２２８）のうちの少なくとも１つを含む、通信のための方法。
【請求項２５】
前記スキャンされた対象またはコードが、ユニバーサル製品コード（ＵＰＣ）を受信するステップを含む（１３１）、請求項２４記載の方法。
【請求項２６】
選択可能な複数の機能または特徴を含むメニューを表示すること（１３２、２０４）を更に備える、請求項２４記載の方法。
【請求項２７】
前記スキャンされた対象またはコードおよび前記入力されたかまたは選択された任意の機能または特徴に対応する信号をシステムに送信するステップ（１０２）を更に含む、請求項２４記載の方法。
【請求項２８】
購入リクエストを送るステップ（２１４）を更に備える、請求項２４記載の方法。
【請求項２９】
キャンセル
【請求項３０】
キャンセル
【請求項３１】
スキャンされた対象またはコードを受信するステップ（２０２）と、
前記スキャンされた対象またはコードに関連する選択された機能または特徴を実行するステップ（２０６）とを備え、前記選択された機能または特徴を実行するステップが、
前記対象またはコードに対応する製品に関連する料理ガイドを提供するステップ（２２１）と、
前記対象またはコードに対応する製品に関連するレシピを提供するステップ（２２１）と、
前記対象またはコードに対応する製品をリストに追加するステップ（１４２、１４４、２０８）と、
前記対象またはコードに対応する前記製品の価格と他の対象またはコードに関連する製品の価格とを比較するステップ（２１６）と、
前記対象またはコードに関連する製品の価格と他の小売業者によって販売されている同一の製品の価格とを比較するステップ（２１６）と、
前記対象またはコードに関連する製品の場所を提供するステップ（２３０）と、
前記対象またはコードに対応する製品の最低価格の小売業者を識別するステップ（２２４）と、
前記対象またはコードに関連する製品に関連する警告を提供するステップ（２３４）とを備え、前記警告は、値下げ（２３６）、在庫量の減少（２３８）、リコール（２４４）および注意（２４２）を含む消費者への警告（２４０）を含み、
前記対象またはコードに関連する製品情報を提供するステップ（２２６）と、
前記対象またはコードに関連する製品比較情報を提供するステップ（２２８）のうちの少なくとも１つを含む、方法を実行するための、コンピュータで実行可能な命令を有する、コンピュータで読み取り可能な媒体。
【請求項３２】
前記スキャンされた対象またはコードが、ユニバーサル製品コード（ＵＰＣ）を受信するステップ（１３１）を含む、請求項３１記載の方法を実行するための、コンピュータで実行可能な命令を有する、コンピュータで読み取り可能な媒体。
【請求項３３】
前記スキャンされた対象またはコードおよび前記入力されたかまたは選択された任意の機能または特徴に対応する信号をシステムに送信するステップ（１０２）を更に含む、請求項３１記載の方法を実行するための、コンピュータで実行可能な命令を有する、コンピュータで読み取り可能な媒体。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
対象またはコードをスキャンするためのスキャナー（１３０）と、
前記スキャンされた対象またはコード（２０２）に関連する選択可能な複数の機能（２０４）を含むメニュー（１３２）とを備え、前記選択可能な複数の機能（２０４）は、前記対象またはコードに関係する警告（２３４）を提供することを含み、前記警告は、前記対象またはコードに対応する製品に関連する値下げ（２３６）、在庫量の減少（２３８）、リコール（２４４）および注意（２４２）を含む消費者への警告（２４０）を含み、
前記スキャンされる対象またはコードに関連する選択された機能を実行するためのプロセッサ（１１２）とを更に備えた、通信のためのデバイス（１００）。
【請求項２】
前記スキャナー（１３０）が、赤外線スキャナーである、請求項１記載のデバイス。
【請求項３】
前記通信のためのデバイスが、バーコードリーダー（１３０）を備えた無線通信デバイス（１００）を備えた、請求項１記載のデバイス。
【請求項４】
前記対象またはコード（１３１）が、ユニバーサル製品コード（ＵＰＣ）を含む、請求項１記載のデバイス。
【請求項５】
前記選択可能な複数の機能（２０４）が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品情報を提供する事（２２６）と、
前記ＵＰＣに関連する製品比較情報を提供する事（２２８）のうちの少なくとも１つを含む、請求項４記載のデバイス。
【請求項６】
前記複数の機能のうちの１つの選択に応答し、信号を受信するための受信機（１２４）を更に含む、請求項５記載のデバイス。
【請求項７】
前記信号が、ショートメッセージサービスのメッセージ、ｅメールメッセージまたは音声もしくはデータメッセージを含む（２０６）、請求項６記載のデバイス。
【請求項８】
前記通信デバイスが、セルラー電話（１００）を含む、請求項１記載のデバイス。
【請求項９】
ＵＰＣを読み出すためのスキャナー（１３０）と、
前記ＵＰＣに関連した選択可能な複数の機能を含むメニュー（１３２）とを備え、前記選択可能な複数の機能（２０４）は、前記ＵＰＣに対応する製品に関する警告（２３４）を提供することを含み、前記警告は、前記ＵＰＣに対応する製品に関連する値下げ（２３６）、在庫量の減少（２３８）、リコール（２４４）および注意（２４２）を含む消費者への警告（２４０）を含み、
前記ＵＰＣおよび選択された任意の機能に対応する信号をシステムに送信するための送信機（１２０）と、
前記ＵＰＣに関連する選択された任意の機能の実行に応答し、他の信号を受信するための受信機（１２４）とを更に備えた、通信のためのデバイス（１００）。
【請求項１０】
前記選択可能な複数の機能が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品情報を提供する事（２２６）と、
前記ＵＰＣに関連する製品比較情報を提供する事（２２８）のうちの少なくとも１つを更に含む、請求項９記載のデバイス。
【請求項１１】
前記ＵＰＣおよび選択された任意の機能に関する情報にアクセスするためのブラウザ（１３８）を更に含む、請求項９記載のデバイス。
【請求項１２】
前記通信デバイスが、無線通信デバイス（１００）を含む、請求項９記載のデバイス。
【請求項１３】
前記受信機（１２４）が、前記ＵＰＣおよび選択された任意の機能に関係する情報を含む、ショートメッセージサービス（ＳＭＳ）、ｅメール、音声またはデータ信号を受信するようになっている、請求項９記載のデバイス。
【請求項１４】
対象またはコードに対応する信号を受信し、無線通信デバイスからの対象またはコードに関連する選択された機能を実行するための無線通信ネットワーク（１０２、１３６）を備え、前記選択された機能（２０４）は、前記対象またはコードに関係する警告（２３４）を提供することを含み、前記警告は、値下げ（２３６）、在庫量の減少（２３８）、リコール（２４４）および注意（２４２）を含む消費者への警告（２４０）を含み、
前記対象またはコードおよび前記選択された機能に対応する信号に応答し、動作を実行するよう、前記無線通信ネットワークに接続可能なサーバー（１３４）とを備えた、通信のためのシステム。
【請求項１５】
前記選択可能な複数の機能（２０４）が、
前記対象またはコードに対応する製品に関連する料理ガイドを提供する事（２２１）と、
前記対象またはコードに対応する製品に関連するレシピを提供する事（２２１）と、
前記対象またはコードに対応する製品をリストに追加する事（１４２、１４４、２０８）と、
前記対象またはコードに対応する前記製品の価格と他の対象またはコードに関連する製品の価格とを比較する事（２１６）と、
前記対象またはコードに関連する製品の価格と他の小売業者によって販売されている同一の製品の価格とを比較する事（２１６）と、
前記対象またはコードに関連する製品の場所を提供する事（２３０）と、
前記対象またはコードに対応する製品の最低価格の小売業者を識別する事（２２４）と、
前記対象またはコードに関連する製品情報を提供する事（２２６）と、
前記対象またはコードに関連する製品比較情報を提供する事（２２８）のうちの少なくとも１つを含む、請求項１４記載のシステム。
【請求項１６】
前記対象またはコード、および前記選択された機能に応答し、情報を提供するよう、サーバーによってアクセス可能な複数のデータソース（１４０）を更に含む、請求項１４記載のシステム。
【請求項１７】
スキャンされた対象またはコードを受信するステップ（２０２）と、
前記スキャンされた対象またはコードに関連する選択可能な複数の機能または特徴を含むメニューを表示するステップ（１３２、２０４）とを備え、前記選択可能な複数の機能（２０４）は、前記対象またはコードに関係する警告（２３４）を提供することを含み、前記警告は、値下げ（２３６）、在庫量の減少（２３８）、リコール（２４４）および注意（２４２）を含む消費者への警告（２４０）を含み、
前記スキャンされた対象またはコード、および選択された任意の機能または特徴に対応する信号をシステムに送信する事（１０２、２０６）と、
前記スキャンされた対象またはコードに関連した選択された任意の機能または特徴の実行に応答し、他の信号を受信する事（２０８〜２３２）とを備える、通信のための方法。
【請求項１８】
前記対象またはコードが、ユニバーサル製品コード（ＵＰＣ）を含む（１３１）、請求項１７記載の方法。
【請求項１９】
前記複数の機能が、
前記ＵＰＣに対応する製品に関連する料理ガイドを提供する事（２２１）と、
前記ＵＰＣに対応する製品に関連するレシピを提供する事（２２１）と、
ＵＰＣのリストに前記ＵＰＣを追加する事（１４２、１４４、２０８）と、
前記ＵＰＣに対応する前記製品の価格と他のＵＰＣに関連する製品の価格とを比較する事（２１６）と、
前記ＵＰＣに関連する製品の価格と他の小売業者によって販売されている同一の製品の価格とを比較する事（２１６）と、
前記ＵＰＣに関連する製品の場所を提供する事（２３０）と、
前記ＵＰＣに対応する製品の最低価格の小売業者を識別する事（２２４）と、
前記ＵＰＣに関連する製品情報を提供する事（２２６）と、
前記ＵＰＣに関連する製品比較情報を提供する事（２２８）のうちの少なくとも１つを含む、請求項１７記載の方法。
【請求項２０】
スキャンされた対象またはコードを受信するステップ（２０２）と、
前記スキャンされた対象またはコードに関連する選択された機能または特徴を実行するステップ（２０６）とを備え、前記選択された機能または特徴を実行するステップが、
前記対象またはコードに対応する製品に関連する料理ガイドを提供するステップ（２２１）と、
前記対象またはコードに対応する製品に関連するレシピを提供するステップ（２２１）と、
前記対象またはコードに対応する製品をリストに追加するステップ（１４２、１４４、２０８）と、
前記対象またはコードに対応する前記製品の価格と他の対象またはコードに関連する製品の価格とを比較するステップ（２１６）と、
前記対象またはコードに関連する製品の価格と他の小売業者によって販売されている同一の製品の価格とを比較するステップ（２１６）と、
前記対象またはコードに関連する製品の場所を提供するステップ（２３０）と、
前記対象またはコードに対応する製品の最低価格の小売業者を識別するステップ（２２４）と、
対象またはコードに関連する製品に関する警告を提供するステップ（２３４）を含み、前記警告は、値下げ（２３６）、在庫量の減少（２３８）、リコール（２４４）および注意（２４２）を含む消費者への警告（２４０）を含み、
前記対象またはコードに関連する製品情報を提供するステップ（２２６）と、
前記対象またはコードに関連する製品比較情報を提供するステップ（２２８）のうちの少なくとも１つを含む、通信のための方法。
【請求項２１】
前記スキャンされた対象またはコードが、ユニバーサル製品コード（ＵＰＣ）を受信するステップを含む（１３１）、請求項２０記載の方法。
【請求項２２】
選択可能な複数の機能または特徴を含むメニューを表示すること（１３２、２０４）を更に備える、請求項２０記載の方法。
【請求項２３】
前記スキャンされた対象またはコードおよび前記入力されたかまたは選択された任意の機能または特徴に対応する信号をシステムに送信するステップ（１０２）を更に含む、請求項２０記載の方法。
【請求項２４】
購入リクエストを送るステップ（２１４）を更に備える、請求項２０記載の方法。
【請求項２５】
スキャンされた対象またはコードを受信するステップ（２０２）と、
前記スキャンされた対象またはコードに関連する選択された機能または特徴を実行するステップ（２０６）とを備え、前記選択された機能または特徴を実行するステップが、
前記対象またはコードに対応する製品に関連する料理ガイドを提供するステップ（２２１）と、
前記対象またはコードに対応する製品に関連するレシピを提供するステップ（２２１）と、
前記対象またはコードに対応する製品をリストに追加するステップ（１４２、１４４、２０８）と、
前記対象またはコードに対応する前記製品の価格と他の対象またはコードに関連する製品の価格とを比較するステップ（２１６）と、
前記対象またはコードに関連する製品の価格と他の小売業者によって販売されている同一の製品の価格とを比較するステップ（２１６）と、
前記対象またはコードに関連する製品の場所を提供するステップ（２３０）と、
前記対象またはコードに対応する製品の最低価格の小売業者を識別するステップ（２２４）と、
前記対象またはコードに関連する製品に関連する警告を提供するステップ（２３４）とを備え、前記警告は、値下げ（２３６）、在庫量の減少（２３８）、リコール（２４４）および注意（２４２）を含む消費者への警告（２４０）を含み、
前記対象またはコードに関連する製品情報を提供するステップ（２２６）と、
前記対象またはコードに関連する製品比較情報を提供するステップ（２２８）のうちの少なくとも１つを含む、方法を実行するための、コンピュータで実行可能な命令からなるプログラムを記録した、コンピュータで読み取り可能な媒体。
【請求項２６】
前記スキャンされた対象またはコードが、ユニバーサル製品コード（ＵＰＣ）を含む、コンピュータで実行可能な命令からなるプログラムを記録した、請求項２５記載のコンピュータで読み取り可能な媒体。
【請求項２７】
前記スキャンされた対象またはコードおよび前記入力されたかまたは選択された任意の機能または特徴に対応する信号をシステムに送信するステップ（１０２）を更に含む、方法を実行するための、コンピュータで実行可能な命令からなるプログラムを記録した、請求項２５記載のコンピュータで読み取り可能な媒体。
【国際調査報告】
2008527489.tif 000008
2008527489.tif 000009
2008527489.tif 000010